(57)【特許請求の範囲】
【請求項１】
吐水ヘッドを突き出し・引込可能に設けるとともに、該吐水ヘッドを突き出し方向に付勢するばね部材と、該吐水ヘッドを引込位置にロックするロック機構及び該ロック機構によるロックを解除する解除操作部を設けたことを特徴とする吐水装置。
【請求項２】
請求項１において、前記吐水ヘッドにスライド管を一体移動可能に設け、該スライド管をガイド管にスライド可能に嵌合したことを特徴とする吐水装置。
【請求項３】
請求項１，２の何れかにおいて、前記スライド管及びガイド管が前記吐水ヘッドに続く吐水管本体を構成していることを特徴とする吐水装置。
【請求項４】
請求項３において、前記ばね部材，前記ロック機構及び前記解除操作部が、前記吐水管本体及び前記吐水ヘッドを含む吐水管に設けてあることを特徴とする吐水装置。
【請求項５】
請求項２〜４の何れかにおいて、前記ロック機構が、前記スライド管に形成された係合凹部と該係合凹部内に係入して該スライド管のスライド運動を阻止するロック部材とを含んでおり、前記解除操作部が該ロック部材の該係合凹部への係入を解除するものとなしてあることを特徴とする吐水装置。
【請求項６】
請求項２〜４の何れかにおいて、前記ロック機構が、前記スライド管に圧接し、摩擦力で該スライド管のスライド運動を阻止するロック部材を含んでおり、前記解除操作部が該ロック部材の該スライド管への圧接を解除するものとなしてあることを特徴とする吐水装置。
【請求項７】
請求項２〜６の何れかにおいて、前記吐水ヘッドがシャワーヘッドであり、該シャワーヘッドに対してシャワーホースが前記ガイド管及びスライド管を挿通して接続されていることを特徴とする吐水装置。
【請求項８】
請求項１〜７の何れかにおいて、前記吐水ヘッドが前後方向に突き出し・引込可能となしてあることを特徴とする吐水装置。
【発明の詳細な説明】
【０００１】
【発明の属する技術分野】
この発明は吐水装置に関し、詳しくは吐水ヘッドを突き出し・引込可能となした吐水装置に関する。
【０００２】
【従来の技術】
近年、吐水ヘッドを突き出し・引込可能となした各種吐水装置が提案されている。
この種吐水装置は、吐水ヘッドの突き出し・引込みにより吐水位置を最適な使用位置に任意に変更でき、使い勝手が良好である利点を有する。
【０００３】
【発明が解決しようとする課題】
しかしながらこの種従来の吐水装置の場合、吐水ヘッドを使用者が手で掴んで手前に引き出す（突き出す）ようになっており、健常者の場合には特に問題はないが、握力の弱い身体障害者や子供などの場合にはその操作自体が困難な場合があるといった問題があった。
或いはまた、吐水ヘッドが突き出し・引込可能であることを使用者が知らないまま吐水装置を使用していることも少なくなく、この場合には折角の優れた機能が十分に活かされないこととなってしまう。
【０００４】
【課題を解決するための手段】
本発明の吐水装置はこのような課題を解決するために案出されたものである。
而して請求項１のものは、吐水ヘッドを突き出し・引込可能に設けるとともに、該吐水ヘッドを突き出し方向に付勢するばね部材と、該吐水ヘッドを引込位置にロックするロック機構及び該ロック機構によるロックを解除する解除操作部を設けたことを特徴とする。
【０００５】
請求項２のものは、請求項１において、前記吐水ヘッドにスライド管を一体移動可能に設け、該スライド管をガイド管にスライド可能に嵌合したことを特徴とする。
【０００６】
請求項３のものは、請求項１，２の何れかにおいて、前記スライド管及びガイド管が前記吐水ヘッドに続く吐水管本体を構成していることを特徴とする。
【０００７】
請求項４のものは、請求項３において、前記ばね部材，前記ロック機構及び前記解除操作部が、前記吐水管本体及び前記吐水ヘッドを含む吐水管に設けてあることを特徴とする。
【０００８】
請求項５のものは、請求項２〜４の何れかにおいて、前記ロック機構が、前記スライド管に形成された係合凹部と該係合凹部内に係入して該スライド管のスライド運動を阻止するロック部材とを含んでおり、前記解除操作部が該ロック部材の該係合凹部への係入を解除するものとなしてあることを特徴とする。
【０００９】
請求項６のものは、請求項２〜４の何れかにおいて、前記ロック機構が、前記スライド管に圧接し、摩擦力で該スライド管のスライド運動を阻止するロック部材を含んでおり、前記解除操作部が該ロック部材の該スライド管への圧接を解除するものとなしてあることを特徴とする。
【００１０】
請求項７のものは、請求項２〜６の何れかにおいて、前記吐水ヘッドがシャワーヘッドであり、該シャワーヘッドに対してシャワーホースが前記ガイド管及びスライド管を挿通して接続されていることを特徴とする。
【００１１】
請求項８のものは、請求項１〜７の何れかにおいて、前記吐水ヘッドが前後方向に突き出し・引込可能となしてあることを特徴とする。
【００１２】
【作用及び発明の効果】
上記のように請求項１の吐水装置は、吐水ヘッドを突き出し・引込可能となし、且つこれを突き出し方向に付勢するばね部材と、吐水ヘッドを引込位置にロックするロック機構及びそのロックを解除する解除操作部を設けたもので、この吐水装置においては、解除操作部を操作するだけで吐水ヘッドを突き出し動作させることができる。
従って握力の弱い身体障害者や子供であっても容易に吐水ヘッドを突き出させて、使用者の近くに位置させることができる。
【００１３】
また解除操作部を外部に目立つように設けておくことによって、使用者が吐水ヘッドが突き出し可能であることを知らないまま使用してしまうといったことをなくし、解除操作部の存在によって吐水ヘッドが突き出し可能であることを明確に認識させることができる。
【００１４】
請求項２の吐水装置は、吐水ヘッドにスライド管を一体移動可能に設けてこれをガイド管にスライド可能に嵌合したもので、このようにすれば吐水ヘッドを円滑に突き出し及び引込動作させることができる。
【００１５】
請求項３の吐水装置は、上記スライド管及びガイド管にて吐水管本体を構成するようになしたものである（請求項３）。
この場合においてばね部材，ロック機構及び解除操作部を、その吐水管本体及び吐水ヘッドを含む吐水管に設けておくことができる（請求項４）。
このようにしておけば、使用者は吐水ヘッドに近い部分、即ち手元に近い部分で解除操作を行うことができ、吐水ヘッドを突き出し動作させるための解除操作を容易に行うことができるとともに、解除操作部を使用者から見て近い位置、即ち目立ち易い位置に位置させることができ、解除操作がし易いのに加えて吐水ヘッドが突き出し動作するものであることを使用者に訴えることができる。
【００１６】
上記ロック機構は、スライド管に形成した係合凹部とその係合凹部内に係入してスライド管のスライド運動を阻止するロック部材とを含むように構成し、また解除操作部をそのロック部材の係入を解除するものとなすことができる（請求項５）。
或いは、スライド管に圧接して摩擦力によりスライド管のスライド運動を阻止するロック部材を含むようにロック機構を構成し、また解除操作部をその圧接を解除するものとなすことができる（請求項６）。
このようにすれば、簡単な構造でロック機構及び解除操作部を設けることができる。
【００１７】
本発明においては、上記吐水ヘッドをシャワーヘッドとなし、そのシャワーヘッドに対してシャワーホースをガイド管及びスライド管を挿通して接続し、吐水装置を構成することができる（請求項７）。
このようにしておけば、シャワーヘッドがスライド管のスライド運動によって突き出し動作する外、更にそのシャワーヘッドをスライド管からシャワーホースとともに引き出し、左右方向の任意の位置に持ち来すことが可能となり、使い勝手を更に良好となすことができる。
【００１８】
本発明においては、上記吐水ヘッドを各種の方向、例えば上下方向に突き出し・引込可能となしておくことができるが、これを前後方向に突き出し・引込可能となしておくことができる（請求項８）。
このようにしておけば、吐水ヘッドの突き出し時にこれを使用者に対し最も近い位置まで突き出し動作させることができる。
【００１９】
【実施例】
次に本発明の実施例を図面に基づいて詳しく説明する。
図１は本例の吐水装置を示したもので、図中１０はその本体であり、１２は先端に吐水ヘッドとしてのシャワーヘッド１４を有する吐水管である。
ここで本体１０は水平な取付面から起立する状態で設けられており、また吐水管１２はその本体１０の上端から水平方向前方に延び出す状態で設けられている。
【００２０】
シャワーヘッド１４は吐水口１６を有しており、更にその吐水口１６からの吐水を整流吐水からシャワー吐水に若しくはその逆に切替操作するための操作部１８を有している。
【００２１】
図２〜図４に示しているようにシャワーヘッド１４にはスライド管２０が設けてあり、このスライド管２０がガイド管２２の内部にスライド可能に内嵌されている。
本例においてはこれらスライド管２０及びガイド管２２にて吐水管本体が構成されており、更にその吐水管本体とシャワーヘッド１４とにより上記吐水管１２が構成されている。
【００２２】
これらスライド管２０及びガイド管２２の内部にはシャワーホース２４が挿通されていて、その先端がシャワーヘッド１４に接続され、シャワーホース２４がシャワーヘッド１４とともに吐水管本体から図１（Ｂ）中２点鎖線で示しているように引き出し得るようになっている。
【００２３】
ガイド管２２の内部にはコイルばね（ばね部材）２８が収容されている。
このガイド管２２の内面には段付形状のばね受部２６が形成されていて、そこにガイド管２２内部のコイルばね２８の一端が当接させられている。
コイルばね２８の他端はスライド管２０の軸方向端面に当接し、スライド管２０を突き出し方向、厳密には図２（Ａ）に示す引込状態においてスライド管２０を図中左向きの突き出し方向に付勢している。
【００２４】
尚、スライド管２０には水平方向にガイド溝３０が形成されていて、そこにガイド管２２から内方に突き出したガイドピン３２が嵌入しており、それらガイド溝３０とガイドピン３２とのガイド作用でスライド管２０が回転規制されつつ前後方向にスライド案内されるようになっている。
【００２５】
尚スライド管２０は、小径部２０Ａと大径部２０Ｂとを有しており、その小径部２０Ａがガイド管２２内部にスライド可能に内嵌している。
尚、大径部２０Ｂはその外径がガイド管２２と同一外径とされている。２０Ｃは、大径部２０Ｂの軸端の段付部である。
【００２６】
スライド管２０の小径部２０Ａは、段付部２０Ｃに近い位置においてその下部が円弧状に切り欠かれており、その切欠部によって係合凹部３４が形成されている。
一方、ガイド管２２には対応する位置の保持溝３８においてロックリング（ロック部材）３６が保持されており、図２（Ａ）に示す状態、即ちスライド管２０の引込位置においてそのロックリング３６が復帰ばね４０による上向きの付勢力によって係合凹部３４内に係入し、スライド管２０を引込位置にロックしている。
【００２７】
ロックリング３６には、その上端部にロックリング３６を下向きに押し込んで係合凹部３４への係入を解除操作するための解除ボタン（解除操作部）４４が固設されており、この解除ボタン４４がガイド管２２に形成されたボタン孔４６を通じて外部に突き出している。
尚ガイド管２２の上記保持溝３８は、ガイド管２２の本体とその図中左端の開口に嵌め込まれた端部部材４２とによって形成されている。
【００２８】
次に本例の吐水装置の作用を説明する。
図１(Ａ)，図２(Ａ)及び図５(Ｉ)はスライド管２０、詳しくは小径部２０Ａがガイド管２２内部に納まった状態、即ちシャワーヘッド１４がスライド管２０とともに引込位置にある状態を示している。
このときスライド管２０及びシャワーヘッド１４は、ロックリング３６，復帰ばね４０，スライド管２０の係合凹部３４，保持溝３８等から成るロック機構により引込位置にロックされた状態にある。
【００２９】
この状態において解除ボタン４４に下向きの力を加え、ロックリング３６を復帰ばね４０の付勢力に抗して下向きに押込操作すると、ここにおいてロックリング３６の係合凹部３４への係入が解除される。するとスライド管２０がコイルばね２８の付勢力によってシャワーヘッド１４とともに図中左向きに勢い良く突き出される（押し出される）。
【００３０】
また一方、シャワーヘッド１４に後方への押込力を加えると、スライド管２０がガイド管２２内部をスライド運動して当初の位置に戻り、そこにおいてロックリング３６が復帰ばね４０の付勢力で再びスライド管２０の係合凹部３４内部に係入し、スライド管２０をシャワーヘッド１４とともに引込位置にロックする。
【００３１】
本例の吐水装置によれば、解除ボタン４４を押込操作するだけでシャワーヘッド１４を突き出し動作させることができ、従って握力の弱い身体障害者や子供であっても容易にシャワーヘッド１４を突き出して使用者の近くにシャワーヘッド１４を位置させることができる。
【００３２】
また外部に目立つように設けた解除ボタン４４によって、シャワーヘッド１４が突き出し可能であることを使用者に知らしめることができる。
【００３３】
また本例ではシャワーヘッド１４にスライド管２０を一体移動可能に設けてこれをガイド管２２にスライド可能に嵌合していることから、シャワーヘッド１４を円滑に突き出し及び引込動作させることができる。
【００３４】
また本例では解除ボタン４４を吐水管本体の上部に設けており、従って使用者はシャワーヘッド１４に近い部分、即ち手元に近い部分で解除操作を行うことができ、シャワーヘッド１４を突き出し動作させるための解除操作を容易に行うことができるとともに、解除ボタン４４を使用者から見て近い位置、即ち目立ち易い位置に位置させることができ、解除操作がし易いのに加えてシャワーヘッド１４が突き出し動作するものであることを使用者に訴えかけることができる。
【００３５】
また本例では、シャワーヘッド１４がスライド管２０のスライド運動によって突き出し動作する外、更にそのシャワーヘッド１４がスライド管２０からシャワーホース２４とともに引出可能とされており、従って使用者はシャワーヘッド１４を前後・左右方向の任意の位置に持ち来すことができる。
【００３６】
更にシャワーヘッド１４は前後方向にスライド運動するものとされているため、シャワーヘッド１４を使用者に可及的に近い位置まで突き出し動作させることができる。
【００３７】
図６は本発明の他の実施例を示したもので、この例はガイド管２２の少なくともロック機構部を断面三角形状となし、その内部に対応する三角形状のブレーキ部材（ロック部材）４８を配設して、そのブレーキ部材４８に一体的に設けた復帰ばね５０によりこれを上向きに付勢するようになしたものである。
尚本例においては、ブレーキ部材４８，保持溝３８及び復帰ばね５０がロック機構を構成している。
【００３８】
この例では、図６中左側に示しているようにブレーキ部材４８がスライド管２０の外面に摺接し、その摩擦力でスライド管２０のスライド運動に抵抗力を与えて引込位置にロックし、或いは前後方向中間の所定位置にロックする。
尚、ロックの解除操作はブレーキ部材４８に固設した解除ボタン４４を下向きに押し込むことによって行う。
【００３９】
以上本発明の実施例を詳述したがこれはあくまで一例示である。
例えば本発明においては、上記実施例におけるスライド管２０の段付部２０Ｃとガイド管２２の軸端部とにまたがってロック機構及び解除操作部を設けるといったことも可能であるし、また本発明を他の種々形態の吐水装置に適用することも可能であるなど、本発明はその主旨を逸脱しない範囲において種々変更を加えた形態で構成可能である。
【図面の簡単な説明】
【図１】本発明の一実施例である吐水装置を示す図である。
【図２】図１の吐水装置における吐水管の内部を拡大して示す図である。
【図３】図２の吐水管とその内部構造を各構成部材に分解して示す図である。
【図４】図２及び図３におけるロック機構及び解除ボタンをその周辺部とともに各部材に分解して示す斜視図である。
【図５】図１ないし図４の吐水装置の作用説明図である。
【図６】本発明の他の実施例の吐水装置の要部を示す図である。
【符号の説明】
１２  吐水管
１４  シャワーヘッド
２０  スライド管
２２  ガイド管
２４  シャワーホース
２８  コイルばね（ばね部材）
３４  係合凹部
３６  ロックリング（ロック部材）
３８  保持溝
４０，５０  復帰ばね
４４  解除ボタン（解除操作部）
４８  ブレーキ部材（ロック部材）
【図１】
0004151817.tif 000002
【図２】
0004151817.tif 000003
【図３】
0004151817.tif 000004
【図４】
0004151817.tif 000005
【図５】
0004151817.tif 000006
【図６】
0004151817.tif 000007